【手続補正書】
【提出日】平成19年3月28日(2007.3.28)
【手続補正１】
【補正対象書類名】明細書
【補正対象項目名】発明の名称
【補正方法】変更
【補正の内容】
【発明の名称】表示装置及びその駆動方法
【手続補正２】
【補正対象書類名】明細書
【補正対象項目名】特許請求の範囲
【補正方法】変更
【補正の内容】
【特許請求の範囲】
【請求項１】
アクティブマトリクス回路と、
前記アクティブマトリクス回路を駆動するソースドライバおよびゲートドライバと、
を有する表示装置であって、
ｍビットデジタルビデオデータのうち、ｎビットを電圧階調の情報として用い、かつ（ｍ−ｎ）ビットを時間階調の情報として（ｍ、ｎは共に２以上の正数、かつｍ＞ｎ）用いることを特徴とする表示装置。
【請求項２】
アクティブマトリクス回路と、
前記アクティブマトリクス回路を駆動するソースドライバおよびゲートドライバと、
ｍビットデジタルビデオデータのうち、ｎビットを電圧階調のためのデジタルビデオデータに変換するとともに、（ｍ−ｎ）ビットを時間階調のためのデジタルビデオデータに変換する回路と（ｍ、ｎは共に２以上の正数、かつｍ＞ｎ）、
を有する表示装置であって、
前記（ｍ−ｎ）ビットの時間階調のためのデジタルビデオデータに対応する複数のサブフレームによって１フレームの映像を形成することを特徴とする表示装置。
【請求項３】
アクティブマトリクス回路と、
前記アクティブマトリクス回路を駆動するソースドライバおよびゲートドライバと、
を有する表示装置であって、
ｍビットデジタルビデオデータのうち、ｎビットを電圧階調の情報として用い、かつ（ｍ−ｎ）ビットを時間階調の情報として（ｍ、ｎは共に２以上の正数、かつｍ＞ｎ）用いることによって、（２ｍ−（２ｍ−ｎ−１））通りの表示階調を得ることを特徴とする表示装置。
【請求項４】
アクティブマトリクス回路と、
前記アクティブマトリクス回路を駆動するソースドライバおよびゲートドライバと、
ｍビットデジタルビデオデータのうち、ｎビットを電圧階調のためのデジタルビデオデータに変換するとともに、（ｍ−ｎ）ビットを時間階調のためのデジタルビデオデータに変換する回路と（ｍ、ｎは共に２以上の正数、かつｍ＞ｎ）、
を有する表示装置であって、
前記（ｍ−ｎ）ビットの時間階調のためのデジタルビデオデータに対応する複数のサブフレームによって１フレームの映像を形成し、（２ｍ−（２ｍ−ｎ−１））通りの表示階調を得ることを特徴とする表示装置。
【請求項５】
前記変換する回路はデジタルビデオデータ時間階調処理回路であることを特徴とする請求項２または４の表示装置。
【請求項６】
前記表示装置には無しきい値反強誘電性混合液晶が用いられることを特徴とする請求項１乃至５のいずれか一に記載の表示装置。
【請求項７】
前記ｍは８、前記ｎは２であることを特徴とする請求項１乃至６のいずれか一に記載の表示装置。
【請求項８】
前記ｍは１２、前記ｎは４であることを特徴とする請求項１乃至６のいずれか一に記載の表示装置。
【請求項９】
バックライトにＬＥＤを用いて、フィールドシーケンシャル駆動を行うことを特徴とする請求項１乃至８のいずれか一に記載の表示装置。
【請求項１０】
請求項１乃至９のいずれか一に記載の表示装置を有するリアプロジェクター。
【請求項１１】
請求項１乃至９のいずれか一に記載の表示装置を有するフロントプロジェクター。
【請求項１２】
請求項１乃至９のいずれか一に記載の表示装置を有する単板式リアプロジェクター。
【請求項１３】
請求項１乃至９のいずれか一に記載の表示装置を有するゴーグル型ディスプレイ。
【請求項１４】
請求項１乃至９のいずれか一に記載の表示装置を有する携帯情報端末。
【請求項１５】
請求項１乃至９のいずれか一に記載の表示装置を有するノートブック型パーソナルコンピュータ。
【請求項１６】
ｍビットデジタルビデオデータのうち、ｎビットを電圧階調のためのデジタルビデオデータに変換するとともに、（ｍ−ｎ）ビットを時間階調のためのデジタルビデオデータに変換し（ｍ、ｎは共に２以上の正数、かつｍ＞ｎ）、
前記ｎビットの電圧階調のためのデジタルビデオデータと、前記（ｍ−ｎ）ビットの時間階調のためのデジタルビデオデータとを用いて階調表示を行うことを特徴とする表示装置の駆動方法。
【請求項１７】
ｍビットデジタルビデオデータのうち、ｎビットを電圧階調のためのデジタルビデオデータに変換するとともに、（ｍ−ｎ）ビットを時間階調のためのデジタルビデオデータに変換し（ｍ、ｎは共に２以上の正数、かつｍ＞ｎ）、
前記ｎビットの電圧階調のためのデジタルビデオデータと、前記（ｍ−ｎ）ビットの時間階調のためのデジタルビデオデータとを用いて、（２ｍ−（２ｍ−ｎ−１））通りの階調表示を行うことを特徴とする表示装置の駆動方法。
【手続補正３】
【補正対象書類名】明細書
【補正対象項目名】００３３
【補正方法】変更
【補正の内容】
【００３３】
ここで、本実施形態の表示装置に表示媒体として液晶を用いた場合について説明する。表示パネル３０１の回路構成、特にアクティブマトリクス回路３０１−４について、図４を用いて説明する。
【手続補正４】
【補正対象書類名】明細書
【補正対象項目名】００４７
【補正方法】変更
【補正の内容】
【００４７】
画素Ｐ１，１を例にとって説明すると、画素Ｐ１，１には、各サブフレームライン期間（１ｓｔ  Ｔｓｆｌ、２ｎｄ  Ｔｓｆｌ、３ｒｄ  Ｔｓｆｌ、４ｔｈ  Ｔｓｆｌ、５ｔｈ  Ｔｓｆｌ、６ｔｈ  Ｔｓｆｌ、７ｔｈ  Ｔｓｆｌおよび８ｔｈ  Ｔｓｆｌ）に、それぞれデジタルビデオデータ１，１−１、１，１−２、１，１−３、１，１−４、１，１−５、１，１−６、１，１−７、および１，１−８がＤ／Ａ変換回路によってアナログ階調電圧に変換され書き込まれる。これらのデジタルビデオデータ１，１−１、１，１−２、１，１−３、１，１−４、１，１−５、１，１−６、１，１−７、および１，１−８は、５ビットのデジタルビデオデータを時間階調処理した３ビットデジタルビデオデータである。このような動作が、全ての画素について行われる。
【手続補正５】
【補正対象書類名】明細書
【補正対象項目名】００７３
【補正方法】変更
【補正の内容】
【００７３】
デジタルビデオデータ時間階調処理回路１００２によって変換された２ビットデジタルビデオデータは、Ｄ／Ａ変換回路１００３に入力され、アナログビデオデータに変換される。そして、このアナログビデオデータは、表示パネル１００１に入力される。
【手続補正６】
【補正対象書類名】図面
【補正対象項目名】図１
【補正方法】変更
【補正の内容】
【図１】
2000330527.tif 000001
【手続補正７】
【補正対象書類名】図面
【補正対象項目名】図２
【補正方法】変更
【補正の内容】
【図２】
2000330527.tif 000002
【手続補正８】
【補正対象書類名】図面
【補正対象項目名】図３
【補正方法】変更
【補正の内容】
【図３】
2000330527.tif 000003
【手続補正９】
【補正対象書類名】図面
【補正対象項目名】図１１
【補正方法】変更
【補正の内容】
【図１１】
2000330527.tif 000004
【手続補正１０】
【補正対象書類名】図面
【補正対象項目名】図１５
【補正方法】変更
【補正の内容】
【図１５】
2000330527.tif 000005
【手続補正１１】
【補正対象書類名】図面
【補正対象項目名】図１６
【補正方法】変更
【補正の内容】
【図１６】
2000330527.tif 000006
【手続補正１２】
【補正対象書類名】図面
【補正対象項目名】図１８
【補正方法】変更
【補正の内容】
【図１８】
2000330527.tif 000007